【事件の表示】
　特許第６４５５０９９号発明「太陽電池ユニット及び太陽電池ユニットの製造方法」の特許異議申立事件について、次のとおり決定する。
【結　論】
　特許第６４５５０９９号の特許請求の範囲を訂正請求書に添付された特許請求の範囲のとおり、訂正後の請求項〔１−１０〕について訂正することを認める。
　特許第６４５５０９９号の請求項１−４、６−１０に係る特許を維持する。
　特許第６４５５０９９号の請求項５に係る特許についての特許異議の申立てを却下する。
【理　由】
第１　手続の経緯 
　特許第６４５５０９９号の請求項１〜１０に係る特許についての出願は、平成２６年１１月２７日に出願され、平成３０年１２月２８日にその特許権の設定登録がされ、平成３１年１月２３日に特許掲載公報が発行された。本件特許異議の申立ての経緯は、次のとおりである。 
令和　元年　７月　５日　　：特許異議申立人柴田基（以下「申立人」とい
　　　　　　　　　　　　　　う。）による請求項１〜１０に係る特許に対
　　　　　　　　　　　　　　する特許異議の申立て 
令和　元年　９月３０日付け：取消理由通知書 
令和　元年１２月　２日　　：特許権者による意見書及び訂正請求書の提出
令和　２年　１月２２日　　：申立人による意見書の提出 
令和　２年　２月２８日付け：取消理由通知書（決定の予告） 
令和　２年　４月２７日　　：特許権者による意見書及び訂正請求書の提出
　なお、令和２年６月１０日付けで当審から申立人に対し訂正請求があった旨の通知（特許法第１２０条の５第５項）をするとともに期間を指定して意見書を提出する機会を与えたが、申立人から意見書は提出されなかった。
第２　訂正の適否 
１　訂正の内容 
（１）訂正事項１
　特許請求の範囲の請求項１に「前記太陽電池セルが、受光面とは反対側の裏面に配置された裏面電極、導電層、及び、絶縁層」とあるのを「前記太陽電池セルが、基板と、前記基板における受光面側に配置された表面電極と、前記基板における前記受光面側とは反対側の裏面側に配置されると共に、前記太陽電池セル同士の接続方向に延びる長尺部を有する裏面電極と、前記裏面側において、前記長尺部間の領域である前記配線部材の搭載領域に配置されると共に、前記太陽電池セル同士の接続方向に直交する方向に延びる導電層と、前記裏面側に配置された絶縁層と、」に訂正する（請求項１の記載を直接的又は間接的に引用する請求項２〜４、６〜１０も同様に訂正する。）。
（２）訂正事項２
　特許請求の範囲の請求項１に「を備え、」とあるのを「を備え、前記絶縁層には、複数の開口部が形成され、当該開口部が、前記太陽電池セル同士の接続方向に直交する方向に沿って形成され、前記導電層が、前記開口部内に形成され、前記長尺部が、前記開口部内に至るまで延びることにより前記基板のシリコン部に接しており、」に訂正する（請求項１の記載を直接的又は間接的に引用する請求項２〜４、６〜１０も同様に訂正する。）。
（３）訂正事項３
　特許請求の範囲の請求項１に「前記裏面電極及び前記導電層が、前記太陽電池セル同士の接続方向に直交する方向に互いに接しており」とあるのを「前記裏面電極の前記長尺部及び前記導電層が、前記太陽電池セル同士の接続方向に直交する方向に配置されていると共に互いに接続されており」に訂正する（請求項１の記載を直接的又は間接的に引用する請求項２〜４、６〜１０も同様に訂正する。）。
（４）訂正事項４
　特許請求の範囲の請求項１に「前記太陽電池セルの前記裏面側において、前記配線部材の搭載領域が前記導電層及び前記絶縁層を有している」とあるのを「前記太陽電池セルの前記裏面側において、前記配線部材の搭載領域が前記導電層及び前記絶縁層を有しており、前記導電層及び前記絶縁層と前記配線部材とが接着部材により接合されている」に訂正する（請求項１の記載を直接的又は間接的に引用する請求項２〜４、６〜１０も同様に訂正する。）。
（５）訂正事項５
　特許請求の範囲の請求項５を削除する。
（６）訂正事項６
　特許請求の範囲の請求項６に「請求項１〜５のいずれか一項」とあるのを「請求項１〜４のいずれか一項」に訂正する（請求項６の記載を直接的又は間接的に引用する請求項７〜１０も同様に訂正する。）。
（７）訂正事項７
　特許請求の範囲の請求項７に「請求項１〜６のいずれか一項」とあるのを「請求項１〜４、６のいずれか一項」に訂正する（請求項７の記載を直接的又は間接的に引用する請求項８〜１０も同様に訂正する。）。
（８）訂正事項８
　特許請求の範囲の請求項８に「前記受光面にバスバー電極が配置されることなく表面電極が前記太陽電池セルと前記配線部材との間に配置されており」とあるのを「前記受光面側にバスバー電極が配置されることなく前記表面電極が前記太陽電池セルの前記基板と前記配線部材との間に配置されており」に訂正する（請求項８の記載を直接的又は間接的に引用する請求項９及び１０も同様に訂正する。）。
（９）訂正事項９
　特許請求の範囲の請求項８に「請求項１〜７のいずれか一項」とあるのを「請求項１〜４、６〜７のいずれか一項」に訂正する（請求項８の記載を直接的又は間接的に引用する請求項９及び１０も同様に訂正する。）。
（１０）訂正事項１０
　特許請求の範囲の請求項９に「請求項１〜８のいずれか一項」とあるのを「請求項１〜４、６〜８のいずれか一項」に訂正する（請求項９の記載を直接的に引用する請求項１０も同様に訂正する。）。
　なお、訂正前の請求項１ないし１０は、請求項２ないし１０が請求項１の記載を直接的又は間接的に引用する関係にあるから、本件訂正は、一群の請求項１ないし１０について請求されている。 
２　訂正の目的の適否、新規事項の有無、特許請求の範囲の拡張・変更の存否 
（１）訂正事項１ 
ア　訂正の目的について 
　訂正事項１は、太陽電池セルの構成要素を「基板と、前記基板における受光面側に配置された表面電極と、前記基板における前記受光面側とは反対側の裏面側に配置されると共に、前記太陽電池セル同士の接続方向に延びる長尺部を有する裏面電極と、前記裏面側において、前記長尺部間の領域である前記配線部材の搭載領域に配置されると共に、前記太陽電池セル同士の接続方向に直交する方向に延びる導電層と、前記裏面側に配置された絶縁層と」に限定するものである。
　したがって、訂正事項１は、特許法第１２０条の５第２項ただし書第１号に規定する特許請求の範囲の減縮を目的とするものである。
イ　実質上特許請求の範囲を拡張し、又は変更する訂正でないこと
　訂正事項１は、上記アで述べたとおり、特許請求の範囲を減縮するものであり、発明のカテゴリー、対象及び目的を変更するものではないから、実質上特許請求の範囲を拡張し、又は変更するものではない。
　したがって、訂正事項１は、特許法第１２０条の５第９項で準用する特許法第１２６条第６項に適合するものである。
ウ　願書に添付した明細書、特許請求の範囲又は図面に記載した事項の範囲内の訂正であること
　訂正事項１に関して、本件特許明細書の段落【００３２】に「第１実施形態に係る太陽電池セル１１０は、基板１１３と、受光面側に配置された反射防止膜１１４及び表面電極１１２と、裏面側に配置された絶縁層１１７、裏面電極１１５及び導電層（「裏面バスバー電極」ともいう）１１８とを有している。」と記載され、段落【００４０】に「裏面電極１１５は、基板１１３及び絶縁層１１７の略全面を覆うように絶縁層１１７上に配置されている。裏面電極１１５は、ストリングス延在方向に延びる４つの長尺部１１５ａを有しており、ストリングス延在方向と略直交する方向に延びる複数の導電層１１８が長尺部１１５ａ間に配置されることにより、隣接する長尺部１１５ａ同士が導電層１１８を介して接続されている。」と記載され、段落【００４５】に「導電層１１８は、配線部材搭載領域Ｒ２において、主に、裏面電極１１５が形成される前に、開口部１１７ａを設けた絶縁層１１７の開口部１１７ａ内に形成される」と記載され、段落【００６７】に「長尺部１２５ａ間の領域は、配線部材搭載領域Ｒ２に相当する。」と記載されている。なお、「ストリングス延在方向」は、訂正前の本件請求項１においても記載されている「太陽電池セル同士の接続方向」に相当する。
　したがって、訂正事項１は、本件の願書に添付した明細書、特許請求の範囲又は図面に記載した事項の範囲内の訂正であり、特許法第１２０条の５第９項で準用する同法第１２６条第５項に規定する要件を満たしている。
（２）訂正事項２
ア　訂正の目的について
　訂正事項２は、絶縁層及び導電層の内容を「前記絶縁層には、複数の開口部が形成され、当該開口部が、前記太陽電池セル同士の接続方向に直交する方向に沿って形成され、前記導電層が、前記開口部内に形成され」ていることに限定した上で、当該開口部と、訂正事項１において限定された裏面電極の長尺部との関係を「前記長尺部が、前記開口部内に至るまで延びることにより前記基板のシリコン部に接して」いることに限定するものである。
　したがって、訂正事項２は、特許法第１２０条の５第２項ただし書第１号に規定する特許請求の範囲の減縮を目的とするものである。
イ　実質上特許請求の範囲を拡張し、又は変更する訂正でないこと
　訂正事項２は、上記アで述べたとおり、特許請求の範囲を減縮するものであり、発明のカテゴリー、対象及び目的を変更するものではないから、実質上特許請求の範囲を拡張し、又は変更するものではない。
　したがって、訂正事項２は、特許法第１２０条の５第９項で準用する特許法第１２６条第６項に適合するものである。
ウ　願書に添付した明細書、特許請求の範囲又は図面に記載した事項の範囲内の訂正であること
　訂正事項２に関して、本件特許明細書の段落【００３６】に「絶縁層１１７には、複数の開口部１１７ａが形成されている。開口部１１７ａは、ストリングス延在方向と略直交する方向に沿って形成され、ストリングス延在方向に沿って所定の間隔をもって形成されている。」と記載され、段落【００４５】に「導電層１１８は、配線部材搭載領域Ｒ２において、主に、裏面電極１１５が形成される前に、開口部１１７ａを設けた絶縁層１１７の開口部１１７ａ内に形成される」と記載され、段落【００４１】に「長尺部１１５ａは、絶縁層１１７の開口部１１７ａ内に至るまで延びることにより基板１１３のシリコン部に接している。」と記載されている。
　したがって、訂正事項２は、本件の願書に添付した明細書、特許請求の範囲又は図面に記載した事項の範囲内の訂正であり、特許法第１２０条の５第９項で準用する同法第１２６条第５項に規定する要件を満たしている。
（３）訂正事項３
ア　訂正の目的について
　訂正事項３は、裏面電極及び導電層の配置関係を「前記裏面電極の前記長尺部及び前記導電層が、前記太陽電池セル同士の接続方向に直交する方向に配置されていると共に互いに接続されて」いることに限定するものである。
　したがって、訂正事項３は、特許法第１２０条の５第２項ただし書第１号に規定する特許請求の範囲の減縮を目的とするものである。
イ　実質上特許請求の範囲を拡張し、又は変更する訂正でないこと
　訂正事項３は、上記アで述べたとおり、特許請求の範囲を減縮するものであり、発明のカテゴリー、対象及び目的を変更するものではないから、実質上特許請求の範囲を拡張し、又は変更するものではない。
　したがって、訂正事項３は、特許法第１２０条の５第９項で準用する特許法第１２６条第６項に適合するものである。
ウ　願書に添付した明細書、特許請求の範囲又は図面に記載した事項の範囲内の訂正であること
　訂正事項３に関して、本件特許明細書の段落【００４０】に「裏面電極１１５は、ストリングス延在方向に延びる４つの長尺部１１５ａを有しており、ストリングス延在方向と略直交する方向に延びる複数の導電層１１８が長尺部１１５ａ間に配置されることにより、隣接する長尺部１１５ａ同士が導電層１１８を介して接続されている。」と記載されている（図５（ａ）等も参照）。ここで、隣接する長尺部１１５ａ同士が、ストリングス延在方向（太陽電池セル同士の接続方向）に直交する方向に延びる導電層１１８を介して接続されるためには、長尺部１１５ａ及び導電層１１８がストリングス延在方向に直交する方向に配置された上で、長尺部１１５ａと導電層１１８とが互いに接続されていることは明らかである。
　したがって、訂正事項３は、本件の願書に添付した明細書、特許請求の範囲又は図面に記載した事項の範囲内の訂正であり、特許法第１２０条の５第９項で準用する同法第１２６条第５項に規定する要件を満たしている。
（４）訂正事項４
ア　訂正の目的について
　訂正事項４は、導電層、絶縁層、配線部材及び接着部材の配置関係を「前
記導電層及び前記絶縁層と前記配線部材とが接着部材により接合されている」ことに限定するものである。
　したがって、訂正事項４は、特許法第１２０条の５第２項ただし書第１号に規定する特許請求の範囲の減縮を目的とするものである。
イ　実質上特許請求の範囲を拡張し、又は変更する訂正でないこと
　訂正事項４は、上記アで述べたとおり、特許請求の範囲を減縮するものであり、発明のカテゴリー、対象及び目的を変更するものではないから、実質上特許請求の範囲を拡張し、又は変更するものではない。
　したがって、訂正事項４は、特許法第１２０条の５第９項で準用する特許法第１２６条第６項に適合するものである。
ウ　願書に添付した明細書、特許請求の範囲又は図面に記載した事項の範囲内の訂正であること
　訂正事項４に関して、本件特許明細書の段落【００４９】に「本実施形態では、太陽電池セル１１０の裏面の導電層１１８及び絶縁層１１７と、配線部材１１１とを接着部材１１９により接合することができる」と記載されている。
　したがって、訂正事項４は、本件の願書に添付した明細書、特許請求の範囲又は図面に記載した事項の範囲内の訂正であり、特許法第１２０条の５第９項で準用する同法第１２６条第５項に規定する要件を満たしている。
（５）訂正事項５
ア　訂正の目的について
　訂正事項５は、訂正前の請求項５の記載を削除するものである。
　したがって、訂正事項５は、特許法第１２０条の５第２項ただし書第１号に規定する特許請求の範囲の減縮を目的とするものである。
イ　実質上特許請求の範囲を拡張し、又は変更する訂正でないこと
　訂正事項５は、上記アで述べたとおり、訂正前の請求項５の記載を削除するのみであり、発明のカテゴリー、対象及び目的を変更するものではないから、実質上特許請求の範囲を拡張し、又は変更するものではない。
　したがって、訂正事項５は、特許法第１２０条の５第９項で準用する特許法第１２６条第６項に適合するものである。
ウ　願書に添付した明細書、特許請求の範囲又は図面に記載した事項の範囲内の訂正であること
　訂正事項５は、訂正前の請求項５の記載を削除するものであるから、本件の願書に添付した明細書、特許請求の範囲又は図面に記載した事項の範囲内の訂正であり、特許法第１２０条の５第９項で準用する同法第１２６条第５項に規定する要件を満たしている。
（６）訂正事項６
ア　訂正の目的について
　訂正事項６は、請求項６が引用する請求項を減らすものである。
　したがって、訂正事項６は、特許法第１２０条の５第２項ただし書第１号に規定する特許請求の範囲の減縮を目的とするものである。
イ　実質上特許請求の範囲を拡張し、又は変更する訂正でないこと
　訂正事項６は、上記アで述べたとおり、請求項６が引用する請求項を減らすものであり、発明のカテゴリー、対象及び目的を変更するものではないから、実質上特許請求の範囲を拡張し、又は変更するものではない。
　したがって、訂正事項６は、特許法第１２０条の５第９項で準用する特許法第１２６条第６項に適合するものである。
ウ　願書に添付した明細書、特許請求の範囲又は図面に記載した事項の範囲内の訂正であること
　訂正事項６は、請求項６が引用する請求項を減らすものである。
　したがって、訂正事項６は、本件の願書に添付した明細書、特許請求の範囲又は図面に記載した事項の範囲内の訂正であり、特許法第１２０条の５第９項で準用する同法第１２６条第５項に規定する要件を満たしている。
（７）訂正事項７
ア　訂正の目的について
　訂正事項７は、請求項７が引用する請求項を減らすものである。
　したがって、訂正事項７は、特許法第１２０条の５第２項ただし書第１号に規定する特許請求の範囲の減縮を目的とするものである。
イ　実質上特許請求の範囲を拡張し、又は変更する訂正でないこと
　訂正事項７は、上記アで述べたとおり、請求項７が引用する請求項を減らすものであり、発明のカテゴリー、対象及び目的を変更するものではないから、実質上特許請求の範囲を拡張し、又は変更するものではない。
　したがって、訂正事項７は、特許法第１２０条の５第９項で準用する特許法第１２６条第６項に適合するものである。
ウ　願書に添付した明細書、特許請求の範囲又は図面に記載した事項の範囲内の訂正であること
　訂正事項７は、請求項７が引用する請求項を減らすものである。
　したがって、訂正事項７は、本件の願書に添付した明細書、特許請求の範囲又は図面に記載した事項の範囲内の訂正であり、特許法第１２０条の５第９項で準用する同法第１２６条第５項に規定する要件を満たしている。
（８）訂正事項８
ア　訂正の目的について
　訂正事項８は、訂正後の請求項１との整合の観点から「前記受光面」との語句の後に「側」を付すと共に「表面電極」との語句の前に「前記」との語句を付し、表面電極の配置位置を「前記太陽電池セルの前記基板と前記配線部材との間」と明瞭にするものである。
　したがって、訂正事項８は、特許法第１２０条の５第２項ただし書第３号に規定する明瞭でない記載の釈明を目的とするものである。
イ　実質上特許請求の範囲を拡張し、又は変更する訂正でないこと
　訂正事項８は、上記アで述べたとおり、訂正後の請求項１との整合の観点から「前記受光面」との語句の後に「側」を付すと共に「表面電極」との語句の前に「前記」との語句を付し、「前記太陽電池セル」を「前記太陽電池セルの前記基板」と明瞭にするものであり、発明のカテゴリー、対象及び目的を変更するものではないから、実質上特許請求の範囲を拡張し、又は変更するものではない。
　したがって、訂正事項８は、特許法第１２０条の５第９項で準用する特許法第１２６条第６項に適合するものである。
ウ　願書に添付した明細書、特許請求の範囲又は図面に記載した事項の範囲内の訂正であること
　訂正事項８における表面電極の配置位置に関する訂正事項に関して、本件特許明細書の段落【００３２】及び図４において、太陽電池セル１１０において基板１１３の受光面側に表面電極１１２が配置され、受光面側の配線部材搭載領域Ｒ１に配線部材が搭載されることが記載されており、当該記載において、表面電極が太陽電池セルの基板と配線部材との間に配置されることは明らかである。また、訂正事項８における他の訂正事項は、訂正後の請求項１との整合の観点から「前記受光面」との語句の後に「側」を付すと共に「表面電極」との語句の前に「前記」との語句を付すものである。
　したがって、訂正事項８は、本件の願書に添付した明細書、特許請求の範囲又は図面に記載した事項の範囲内の訂正であり、特許法第１２０条の５第９項で準用する同法第１２６条第５項に規定する要件を満たしている。
（９）訂正事項９
ア　訂正の目的について
　訂正事項９は、請求項８が引用する請求項を減らすものである。
　したがって、訂正事項９は、特許法第１２０条の５第２項ただし書第１号に規定する特許請求の範囲の減縮を目的とするものである。
イ　実質上特許請求の範囲を拡張し、又は変更する訂正でないこと
　訂正事項９は、上記アで述べたとおり、請求項８が引用する請求項を減らすものであり、発明のカテゴリー、対象及び目的を変更するものではないから、実質上特許請求の範囲を拡張し、又は変更するものではない。
　したがって、訂正事項９は、特許法第１２０条の５第９項で準用する特許法第１２６条第６項に適合するものである。
ウ　願書に添付した明細書、特許請求の範囲又は図面に記載した事項の範囲内の訂正であること
　訂正事項９は、請求項８が引用する請求項を減らすものである。
　したがって、訂正事項９は、本件の願書に添付した明細書、特許請求の範囲又は図面に記載した事項の範囲内の訂正であり、特許法第１２０条の５第９項で準用する同法第１２６条第５項に規定する要件を満たしている。
（１０）訂正事項１０
ア　訂正の目的について
　訂正事項１０は、請求項９が引用する請求項を減らすものである。
　したがって、訂正事項１０は、特許法第１２０条の５第２項ただし書第１号に規定する特許請求の範囲の減縮を目的とするものである。
イ　実質上特許請求の範囲を拡張し、又は変更する訂正でないこと
　訂正事項１０は、上記アで述べたとおり、請求項９が引用する請求項を減らすものであり、発明のカテゴリー、対象及び目的を変更するものではないから、実質上特許請求の範囲を拡張し、又は変更するものではない。
　したがって、訂正事項１０は、特許法第１２０条の５第９項で準用する特許法第１２６条第６項に適合するものである。
ウ　願書に添付した明細書、特許請求の範囲又は図面に記載した事項の範囲内の訂正であること
　訂正事項１０は、請求項９が引用する請求項を減らすものである。
　したがって、訂正事項１０は、本件の願書に添付した明細書、特許請求の範囲又は図面に記載した事項の範囲内の訂正であり、特許法第１２０条の５第９項で準用する同法第１２６条第５項に規定する要件を満たしている。
３　小括 
　したがって、本件訂正請求による訂正は、特許法第１２０条の５第２項ただし書第１号又は第３号に掲げる事項を目的とするものであり、かつ、特許法第１２０条の５第９項で準用する特許法第１２６条第５項及び第６項の規定に適合するので、当該訂正を認める。 
第３　本件発明 
　本件訂正請求により訂正された訂正後の請求項１ないし１０に係る発明（以下順に「本件発明１」ないし「本件発明１０」という。）は、下記のとおりのものである。 
「【請求項１】
　複数の太陽電池セルと、前記太陽電池セル同士を電気的に接続する配線部材と、を備える太陽電池ユニットであって、
　前記太陽電池セルが、
　基板と、
　前記基板における受光面側に配置された表面電極と、
　前記基板における前記受光面側とは反対側の裏面側に配置されると共に、前記太陽電池セル同士の接続方向に延びる長尺部を有する裏面電極と、
　前記裏面側において、前記長尺部間の領域である前記配線部材の搭載領域に配置されると共に、前記太陽電池セル同士の接続方向に直交する方向に延びる導電層と、
　前記裏面側に配置された絶縁層と、を備え、
　前記絶縁層には、複数の開口部が形成され、当該開口部が、前記太陽電池セル同士の接続方向に直交する方向に沿って形成され、前記導電層が、前記開口部内に形成され、前記長尺部が、前記開口部内に至るまで延びることにより前記基板のシリコン部に接しており、
　前記裏面電極の前記長尺部及び前記導電層が、前記太陽電池セル同士の接続方向に直交する方向に配置されていると共に互いに接続されており、
　前記太陽電池セルの前記裏面側において、前記配線部材の搭載領域が前記導電層及び前記絶縁層を有しており、
　前記導電層及び前記絶縁層と前記配線部材とが接着部材により接合されている、太陽電池ユニット。
【請求項２】
　前記導電層がＡｌ、Ａｌ−Ｓｉ合金、Ｃｕ、Ｓｎ又はＡｇを含む、請求項１に記載の太陽電池ユニット。
【請求項３】
　前記裏面電極が前記導電層と同一の材料で構成されている、請求項１又は２に記載の太陽電池ユニット。
【請求項４】
　前記絶縁層が窒化シリコン、酸化シリコン又は酸化アルミニウムを含む、請求項１〜３のいずれか一項に記載の太陽電池ユニット。
【請求項５】（削除）
【請求項６】
　前記裏面電極の少なくとも一部が前記配線部材の搭載領域にまたがって配置されている、請求項１〜４のいずれか一項に記載の太陽電池ユニット。
【請求項７】
　前記導電層の少なくとも一部が前記裏面電極と重なって配置されている、請求項１〜４、６のいずれか一項に記載の太陽電池ユニット。
【請求項８】
　前記受光面側にバスバー電極が配置されることなく前記表面電極が前記太陽電池セルの前記基板と前記配線部材との間に配置されており、
　前記配線部材の搭載領域における前記表面電極に相対する位置に前記導電層が配置されている、請求項１〜４、６〜７のいずれか一項に記載の太陽電池ユニット。
【請求項９】
　請求項１〜４、６〜８のいずれか一項に記載の太陽電池ユニットの製造方法であって、
　前記太陽電池セルの前記配線部材の搭載領域上に接着部材及び前記配線部材をこの順に配置する配置工程と、
　前記配置工程の後、加圧して前記太陽電池セルと前記配線部材とを接続する接続工程と、を含む、太陽電池ユニットの製造方法。
【請求項１０】
　前記配置工程において前記接着部材がフィルム状である、請求項９に記載の太陽電池ユニットの製造方法。」
第４　取消理由の概要 
１　令和２年２月２８日付け取消理由（決定の予告）の概要
　本件特許は、特許請求の範囲の記載が、特許法第３６条第６項第２号に規定する要件を満たしていない出願に対してされたものであり、
　本件特許の請求項１、２，４、６、７に係る発明は、甲２に記載された発明、参４に記載された技術的事項及び周知技術、または、本件特許の請求項２、３、８〜１０に係る発明は、甲２に記載された発明、参４に記載された技術的事項、甲３に記載された技術的事項及び周知技術に基いて、当業者が容易に発明をすることができたものであるから、当該各発明に係る特許は、特許法第２９条第２項の規定に違反してされたものである。 
　　　　　　　　　　　　引用文献等一覧 
甲第１号証：国際公開第２０１５／１４６４１３号（優先権主張番号：特願２０１４−６６０３０号） 
甲第２号証：特開２０１４−１５７８７１号公報 
甲第３号証：特開２０１４−２０３９９９号公報 
甲第４号証：特開平１０−１４４９４３号公報
甲第５号証：特開２０１０−１６１１７８号公報
甲第６号証：特開２０１３−１８３０９３号公報
甲第７号証：国際公開第２００７／００１００４号
甲第８号証：国際公開第２０１２／０４６３０６号
参考資料１：国際公開第２００７／０６０７４３号 
参考資料２：特開２０１３−２１１３４１号公報 
参考資料３：特許第５２８９６２５号公報
参考資料４：米国特許出願公開２０１３／０２７３６８７号明細書 
参考資料５：特表２０１０−５２７１４７号公報
参考資料６：特開２０１３−１４５８６５号公報
（以下、甲第１ないし８号証を順に「甲１」ないし「甲８」と略して記載し、特願２０１４−６６０３０号を「先願１」と略して記載し、参考資料１ないし６を順に「参１」ないし「参６」と略して記載する。）
２　令和元年９月３０日付け取消理由の概要
　本件特許は、特許請求の範囲の記載が、特許法第３６条第６項第２号に規定する要件を満たしていない出願に対してされたものであり、
　本件特許の請求項１、２、４〜７に係る発明は、その出願の日前の特許出願であって、その出願後に国際公開されたものとみなされる先願１の日本語特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、当該各発明に係る特許は、特許法第２９条の２の規定に違反してされたものであり、
　本件特許の請求項１、２、４、５に係る発明は、甲２に記載された発明であって、特許法第２９条第１項第３号に該当するから、当該各発明に係る特許は、特許法第２９条第１項第３号の規定に違反してされたものであり、
　または、本件特許の請求項２、３、６〜１０に係る発明は、甲２に記載された発明、甲３の技術的事項及び周知技術に基いて、当業者が容易に発明をすることができたものであるから、当該各発明に係る特許は、特許法第２９条第２項の規定に違反してされたものである。 
３　なお、上記取消理由、及び取消理由（決定の予告）で採用しなかった特許異議申立理由はない。
第５　取消理由に対する当審の判断
　当審は、本件特許の請求項１〜４、６〜１０に係る特許については、取消理由によって、これらの特許を取り消すことができないと判断する。 
　また、本件特許の請求項５に係る特許については、請求項が削除されたので、特許異議申立てを却下する。 
　その理由は、以下のとおりである。
１　令和元年２月２８日付け取消理由（決定の予告）について
（１）明確性について 
　明確性不適合の概要は、本件特許の請求項８では、表面電極と太陽電池セルとが別部材として特定される一方、本件特許の請求項８が引用する請求項１の特定では、表面電極は、太陽電池セルの別部材ではなく、太陽電池セルに含まれる部材となっていることから、本件特許の請求項８〜１０について、表面電極は、太陽電池セルとは別部材なのか、太陽電池セルに含まれる部材なのか不明確になっているというものである。
　本件補正により、本件特許の請求項８は、「前記表面電極が前記太陽電池セルの前記基板と前記配線部材との間に配置されており」と訂正されたため、表面電極と太陽電池セルとが別部材として特定されなくなり、よって、本件特許の請求項８〜１０に記載された発明は、明確になった。
（２）進歩性について
ア　甲号証の記載
（ア）甲２には、以下の記載がある。
ａ　「【００３５】
　水酸化アルミニウムは、２５０℃以上の加熱で酸化アルミニウム（Ａｌ２Ｏ３）になる。水酸化アルミニウムを含有するパッシベーション層形成用組成物を半導体基板に付与して加熱（焼成）処理することにより形成される酸化アルミニウムは、半導体基板との界面付近で４配位になりやすく、この４配位酸化アルミニウムに起因する大きな負の固定電荷をもつことができると考えられる。この大きな負の固定電荷が半導体基板の界面近辺で電界を発生することで、半導体基板の界面での少数キャリアの濃度を低下させることができ、結果的に界面でのキャリア再結合速度が抑制されるため、優れたパッシベーション効果を有する
パッシベーション膜を形成することができる
ｂ　「【０１０６】
＜太陽電池素子＞
　本発明の
太陽電池素子は、
半導体基板と、前記半導体基板上
に設けられた
パッシベーション膜と、
半導体基板
上に配置された電極とを有する
　前記太陽電池素子は、前記パッシベーション膜形成用組成物から形成されたパッシベーション膜を有することで、変換効率に優れる。
【０１０７】
　前記パッシベーション膜形成用組成物を付与する半導体基板としては特に制限されず、目的に応じて通常用いられるものから適宜選択することができる。前記半導体基板としては、シリコン、ゲルマニウム等にｐ型不純物又はｎ型不純物をドープしたものであれば特に制限されない。中でも、
半導体基板としてはシリコン基板である
パッシベーション膜が設けられる半導体基板の面は、太陽電池素子における裏面（受光面とは反対面）
ｃ　「【０１２３】
　図５に、裏面におけるパッシベーション膜の形成パターンの一例を概略平面図として示す。図７は、図５のＡ部を拡大した概略平面図である。図８は、図５のＢ部を拡大した概略平面図である。図５に示すパッシベーション膜の形成パターンの場合、図７及び図８からも分かるように、裏面のパッシベーション膜５は後の工程で裏面出力取出し電極７が形成される部分を除き、ドット状にｐ型半導体基板１が露出したパターンで形成される。この
ドット状開口部のパターン
ｄ　「【０１２５】
　一方、図１（８）に示すように、裏面には、ガラス粉末を含むアルミニウム電極ペースト及びガラス粒子を含む銀電極ペーストを、スクリーン印刷等にて塗布する。
図９は、太陽電池素子の裏面
【０１２６】
　受光面及び裏面にそれぞれ電極ペーストを塗布した後は、乾燥後に大気中４５０℃〜９００℃程度の温度で、受光面及び裏面ともに加熱（焼成）して、
受光面に受光面集電用電極８及び受光面出力取出し電極９を、裏面に裏面集電用アルミニウム電極６及び裏面出力取出し電極７を、それぞれ形成する。
【０１２７】
　加熱（焼成）後、図１（９）に示すように、受光面では、受光面電極を形成する銀電極ペーストに含まれるガラス粒子と、反射防止膜４とが反応（ファイアースルー）して、受光面電極（受光面集電用電極８、受光面出力取出し電極９）とｎ＋型拡散層２とが電気的に接続（オーミックコンタクト）される。一方、
裏面では、ドット状に半導体基板１が露出した部分（パッシベーション膜５が形成されなかった部分）では、
アルミニウム電極ペースト中のアルミニウムが半導体基板１中に拡散する
ｐ
ｅ　「【０１３６】
＜太陽電池＞
　
太陽電池
太陽電池素子の少なくとも１つを含み、太陽電池素子の出力取出し電極上に配線材料が配置されて構成される。
配線材料を介して複数の太陽電池素子が連結され
ｆ　「【０１４８】
　一方、裏面には、市販のアルミニウム電極ペースト（ＰＶＧ−ＡＤ−０２、ＰＶＧ Ｓｏｌｕｔｉｏｎｓ社製）及び市販の銀電極ペースト（ＰＶ−５０５、ＤｕＰｏｎｔ社製）をスクリーン印刷法にて図９のパターンで印刷した。
銀電極ペーストからなる裏面出力取出し電極のパターン
【０１４９】
　尚、加熱（焼成）後の裏面出力取出し電極の膜厚が２０μｍとなるように、銀電極ペーストの印刷条件（スクリーン版のメッシュ、印刷速度及び印圧）を適宜調整した。また、
アルミニウム電極ペーストを、
に印刷して、裏面集電用電極パターンを形成
　各電極ペーストを印刷した後、１５０℃の温度で５分間加熱し、溶剤を蒸散させることで乾燥処理を行った。」
ｇ　「【０１５１】
（太陽電池の作製）
　上記で得られた
太陽電池素子１の受光面出力取出し電極及び裏面出力取出し電極の上に、配線部材
ｈ　図１（９）の記載から、裏面出力取出し電極（７）とｐ型半導体基板（１）の間にパッシベーション膜（５）を有することが、見て取れる。
ｉ　上記ｅ、ｇ及び図９の記載から、配線部材が配置される裏面出力取出し電極（７）の長手方向に長尺部を有する裏面集電用アルミニウム電極（６、１１）と、当該長尺部間の領域に裏面出力取出し電極（７）とを有し、裏面集電用アルミニウム電極（６、１１）の長尺部及び裏面出力取出し電極（７）が、配線部材が配置される裏面出力取出し電極（７）の長手方向と直交する方向に配置されていると共に互いに接続されている太陽電池素子の裏面が、把握できる。
ｊ　したがって、甲２には、以下の発明（以下「甲２発明」という。）が記載されていると認められる。
「太陽電池素子の少なくとも１つを含み、配線材料を介して複数の太陽電池素子が連結され、太陽電池素子の出力取出し電極上に配線材料が配置されて構成される太陽電池であって、
　太陽電池素子は、シリコン基板である半導体基板（１）と、前記半導体基板（１）上に設けられたパッシベーション膜（５）と、前記半導体基板（１）上に配置された電極とを有し、
　太陽電池素子における裏面（受光面とは反対面）にパッシベーション膜（５）が設けられ、受光面に受光面集電用電極（８）及び受光面出力取出し電極（９）を、裏面に裏面集電用アルミニウム電極（６、１１）及び裏面出力取出し電極（７）を、それぞれ形成し、
　配線部材が配置される裏面出力取出し電極（７）の長手方向に長尺部を有する裏面集電用アルミニウム電極（６、１１）と、当該長尺部間の領域に裏面出力取出し電極（７）とを有し、
　裏面集電用アルミニウム電極（６、１１）の長尺部及び裏面出力取出し電極（７）が、配線材料が配置される裏面出力取出し電極（７）の長手方向と直交する方向に配置されていると共に互いに接続され、
　太陽電池素子の受光面出力取出し電極（９）及び裏面出力取出し電極（７）の上に、配線材料を配置し、裏面出力取出し電極（７）と半導体基板（１）の間にパッシベーション膜（５）を有し、
　裏面出力取出し電極（７）のパターンは、銀電極ペーストからなり、
　酸化アルミニウムは、パッシベーション膜（５）を形成することができ、
　アルミニウム電極ペーストを印刷して、裏面集電用電極パターンを形成し、裏面では、ドット状に半導体基板が露出した部分（パッシベーション膜（５）が形成されなかった部分）では、アルミニウム電極ペースト中のアルミニウムが半導体基板（１）中に拡散する、
太陽電池。」
（イ）甲３の【００２２】、【００２６】、【００３０】、【００３１】、】、【００３３】、【００３５】、【００４２】、【００４３】の記載から、甲３には、以下の技術的事項が記載されていると認められる。
「複数の太陽電池セルが配線部材により電気的に接続される、１つの太陽電池モジュールであって、
　複数の集電部材が、配線部材の延在方向であるＹ方向に沿って、離間して設けられ、
　集電部材は、隣り合う裏面電極の双方に連結され、集電部材のＸ方向における端部は、基板と裏面電極とに挟まれ、
　集電部材は、銀ペースト、銅ペースト若しくはアルミニウムペーストから形成され、
　裏面電極は、アルミニウムペーストにより形成され、
　受光面の配置領域ＡＦは、フィンガー電極を電気的に接続する配線部材が配置される予定の領域であり、
　裏面側の配置領域ＡＢは、配線部材が配置される予定の領域であり、
　裏面側の配置領域ＡＢは、受光面及び裏面の法線方向において、基板を挟んで受光面側の配置領域ＡＦと対向する位置に設定される、
太陽電池モジュール。」（甲３技術的事項Ａ）
「導電性接着剤は、裏面側では、少なくとも集電部材が設けられている第１の領域に接着され、
　太陽電池セルと配線部材とは、導電性接着剤により互いに固定され、
　導電性接着剤の貼り付けに導電性接着テープが使用される。」（甲３技術的事項Ｂ）
（ウ）参４の[0001]、[0010]、[0035]、[0036]、[0039]、[0040]、[0048]、[0049]、FIG.1C、FIG.1D、FIG.2B、FIG.2Cの記載から、参４には、以下の技術的事項が記載されていると認められる。
「Ａｇ導体パターン１３ｂの長手方向に直交する線または破線のＡｇ導体パターン１３ａが形成され、
　Ａｇ導体パターン１３ｂは、焼成後にタブ電極２３ｂになり得り、タブ電極２３ｂは、リボンをはんだ付けすることによってセルを別のセルに接続するものであり、
　Ａｇ導体パターン１３ａの銀およびＡｌ導体パターン１４のアルミニウムが不活性化層１２ａ中に分散し、不活性化層１２ａを貫通して、銀とアルミニウムとが共存する領域において半導体基板１０に達し、
　Ａｌ導体パターン１４から分散されて半導体基板１０に達するアルミニウムは、太陽電池の電気的性質を改良し得るＳｉ−Ａｌ合金層および裏面電界（ＢＳＦ）１５を形成することができる太陽電池。」（参４技術的事項）
イ　本件発明１について
（ア）対比
　本件発明１と甲２発明を対比すると、以下のとおりとなる。
ａ　甲２発明の「複数の太陽電池素子」は、本件発明１の「複数の太陽電池セル」に、
　甲２発明の「『複数の太陽電池素子が連結』する『配線材料』」は、本件発明１の「前記太陽電池セル同士を電気的に接続する配線部材」に、
　甲２発明の「太陽電池」は、本件発明１の「太陽電池ユニット」に、
　甲２発明の「半導体基板（１）」は、本件発明１の「基板」に、
　甲２発明の「『半導体基板（１）上に配置された電極』であって、『受光面に』『形成』された『受光面集電用電極（８）及び受光面出力取出し電極（９）』」は、本件発明１の「前記基板における受光面側に配置された表面電極」に、
　甲２発明の「『半導体基板（１）上に配置された電極』であって、『太陽電池素子における裏面（受光面とは反対面）に』『形成』された『裏面集電用アルミニウム電極（６，１１）』」は、本件発明１の「『前記基板における前記受光面側とは反対側の裏面側に配置される』『裏面電極』」に、
　甲２発明の「『裏面に』『形成』され『長尺部間の領域』の『裏面出力取出し電極（７）』」は、本件発明１の「『前記裏面側において、前記長尺部間の領域である前記配線部材の搭載領域に配置される』『導電層』」に、
　甲２発明の「『太陽電池素子における裏面（受光面とは反対面）に』『設け』た『パッシベーション膜（５）』」は、本件発明１の「裏面側に配置された絶縁層」に、
　甲２発明の「『ドット状に半導体基板（１）が露出した部分（パッシベーション膜（５）が形成されなかった部分）では、アルミニウム電極ペースト中のアルミニウムが』『シリコン基板である』『半導体基板（１）中に拡散する』」は、本件発明１の「『前記絶縁層には、複数の開口部が形成され、』『前記長尺部が、前記開口部内に至るまで延びることにより前記基板のシリコン部に接しており』」に、
　それぞれ相当する。
ｂ　甲２発明では「配線材料を介して複数の太陽電池素子が連結され、太陽電池素子の出力取出し電極上に配線材料が配置され」ていることから、甲２発明の「裏面出力取出し電極（７）の長手方向」は、複数の太陽電池素子を連結する配線材料の方向であり、本件発明１の「太陽電池セル同士の接続方向」に相当する。
　そうすると、甲２発明の「配線材料が配置される裏面出力取出し電極（７）の長手方向に長尺部を有する裏面集電用アルミニウム電極（６、１１）」は、本件発明１の「太陽電池セル同士の接続方向に延びる長尺部を有する裏面電極」に、
　甲２発明の「裏面集電用アルミニウム電極（６、１１）の長尺部及び裏面出力取出し電極（７）が、配線材料が配置される裏面出力取出し電極（７）の長手方向と直交する方向に配置されていると共に互いに接続され」は、本件発明１の「前記裏面電極の前記長尺部及び前記導電層が、前記太陽電池セル同士の接続方向に直交する方向に配置されていると共に互いに接続されており」に、
　それぞれ相当する。
ｃ　甲２発明では「『太陽電池素子の』『裏面出力取出し電極（７）の上に、配線材料を配置し、裏面出力取出し電極（７）と半導体基板（１）の間にパッシベーション膜（５）を有し』」と特定されていることから、半導体基板と配線部材の間には、裏面出力取出し電極とパッシベーション膜を有している。
　そうすると、甲２発明の「『太陽電池素子の』『裏面出力取出し電極（７）の上に、配線材料を配置し、裏面出力取出し電極（７）と半導体基板（１）の間にパッシベーション膜（５）を有し』」は、本件発明１の「前記太陽電池セルの前記裏面側において、前記配線部材の搭載領域が前記導電層及び前記絶縁層を有している」に相当する。
ｄ　以上のことから、本件発明１と甲２発明との一致点及び相違点は、次のとおりである。
【一致点】
「複数の太陽電池セルと、前記太陽電池セル同士を電気的に接続する配線部材と、を備える太陽電池ユニットであって、
　前記太陽電池セルが、
　基板と、
　前記基板における受光面側に配置された表面電極と、
　前記基板における前記受光面側とは反対側の裏面側に配置されると共に、前記太陽電池セル同士の接続方向に延びる長尺部を有する裏面電極と、
　前記裏面側において、前記長尺部間の領域である前記配線部材の搭載領域に配置される導電層と、
　前記裏面側に配置された絶縁層と、を備え、
　前記絶縁層には、複数の開口部が形成され、前記長尺部が、前記開口部内に至るまで延びることにより前記基板のシリコン部に接しており、
　前記裏面電極の前記長尺部及び前記導電層が、前記太陽電池セル同士の接続方向に直交する方向に配置されていると共に互いに接続されており、
　前記太陽電池セルの前記裏面側において、前記配線部材の搭載領域が前記導電層及び前記絶縁層を有している、太陽電池ユニット。」
【相違点１】
　本件発明１は「前記導電層及び前記絶縁層と前記配線部材とが接着部材により接合されている」のに対し、甲２発明はそのようなものか明らかではない点。
【相違点２】
　導電層が、本件発明１は「開口部内に形成され、」「太陽電池セル同士の接続方向に直交する方向に延びる」のに対し、甲２発明はそのようなものか明らかではない点。
【相違点３】
　表面電極の長尺部が、開口部内に至るまで延びることにより基板のシリコン部に接するようにするための、絶縁層の開口部が、本件発明１は「前記太陽電池セル同士の接続方向に直交する方向に沿って形成され」るのに対し、甲２発明はそのようなものか明らかではない点。
（イ）判断
　本件発明１は、訂正により、「前記導電層及び前記絶縁層と前記配線部材とが接着部材により接合されている」ことが限定されたので、当該限定事項に係る相違点１について、まず検討する。
ａ　甲２の【０１２３】−【０１２６】、【０１５１】及び図１（９）、図９の記載から、甲２ではパッシベーション膜（５）の上に裏面取出し電極（７）が配置されるとともに、裏面取出し電極（７）の上に配線材料を配置することが把握される。そして、甲２の【０１５１】には「はんだを溶融させることで、上記配線材料と受光面出力取出し電極及び裏面出力取出し電極とを接続した」と記載されている。
　このように、甲２では、「パッシベーション膜（５）」と「配線材料」との間に「裏面取出し電極（７）」が配置されていることから、「パッシベーション膜（５）」と「配線材料」とが、接し得ることはなく、よって両者がはんだにより接続されることもない。
ｂ　また、相違点１に係る本件発明１の導電層及び絶縁層と配線部材とが接着部材により接合されているという構成は、参４に記載された技術的事項には記載されておらず、本願出願前に太陽電池に関する技術において周知技術であるともいえない。
ｃ　そして、甲２発明において、当該限定を有するようにする動機もない。
ｄ　したがって、本件発明１は、相違点２、３を検討するまでもなく、当業者であっても、甲２発明、参４に記載された技術的事項、及び周知技術に基づいて容易に発明ができたものとはいえない。
ウ　本件発明２〜４、６〜１０について
　本件発明２〜４、６〜１０は、本件発明１の「前記導電層及び前記絶縁層と前記配線部材とが接着部材により接合されている」と同一の構成を備えるものであるから、本件発明１と同じ理由により、当業者であっても、甲２発明、参４に記載された技術的事項、及び周知技術に基づいて容易に発明ができたものとはいえない。
２　上記１で判断しなかった特許異議申立理由について
（１）明確性について 
　本件特許の請求項５には、従属先の本件特許の請求項１に対して、太陽電池セルの一部が太陽電池セルに接している旨の矛盾する記載がある。その結果、本件特許の請求項５の範囲が不明確である。
　本件特許の請求項５は、訂正により削除されたので、明確になった。
（２）拡大先願について
ア　先願１の願書に最初に添付された明細書、特許請求の範囲又は図面には、以下の記載があり、これら記載は甲１にも記載されている（「・・・」は省略を表す。以下同様。）。
「【００１２】
＜太陽電池素子および太陽電池＞
　・・・また、
太陽電池素子
には、受光面
上に受光面側電極が設けられている。
裏面
上に裏面側電極が設けられている。
「【００１９】
　・・・
半導体基板
の裏面
には、パッシベーション層
が設けられている。
パッシベーション層
は、
窒化シリコン、酸化シリコン、
または酸化アルミニウム
「【００２１】
　
第１電極
は、
リード部材が接続される。
第１電極
は、
に沿って裏面
上に配置される。
「【００２２】
　また、
隣り合う第１電極
の間に位置する間隙
に
パッシベーション層
「【００２９】
　・・・
隣り合う太陽電池素子
同士は、
リード部材
によって電気的に接続されている。
「【００４０】
　
第２電極
の第２部分
は、Ｙ方向に隣り合っている第１電極
の第２側面
同士を電気的に接続している。このとき、第２部分
は、
第１電極
の第２側面
の近傍に位置する第１電極
のＸ方向における端部を部分的に覆うように設けられ
　【００４１】
　・・・
スペーサ部材
は、
第２電極
と同じ材質で
「【００５６】
　・・・
受光面側電極は、銀および銅のうち少なくとも一方を含有する導電成分と
を含有する導電ペースト
【００５７】
　・・・まず、
第１電極７を形成するための
導電ペーストは、上述の受光面２ａ側電極の形成時に用いたものと同様のものが使用可能
　図２又は図７（甲１、図２又は図８）の記載から、太陽電池素子１の裏面側に、第２電極８、８ａ、８ｂ、第１電極７及びパッシベーション層６が設けられていることが、見て取れる。
　図３（甲１、図３）の記載から、パッシベーション層６が開口を有しており、開口を介して第２電極８と半導体基板内部のＢＳＦ層１４とが接していることが、見て取れる。
　図７（甲１、図８）の記載から、隣り合う第１電極７の間に位置する間隙には、パッシベーション層６及びスペーサ部材１２が設けられていることが、見て取れる。
　図１１（甲１、図１３）の記載から、複数の太陽電池素子１と、前記太陽電池素子１同士を接続するリード部材１５と、を備える太陽電池パネル２２が、見て取れる。
　したがって、先願１の願書に最初に添付された明細書、特許請求の範囲又は図面には、以下の発明（以下「先願１発明」という。）が記載されていると認められる。
「複数の太陽電池素子と、前記太陽電池素子同士を接続するリード部材と、を備える太陽電池パネルであって、
　隣り合う太陽電池素子同士は、リード部材によって電気的に接続され、
　太陽電池素子には、受光面上に受光面側電極が設けられ、裏面上に裏面側電極が設けられ、
　太陽電池素子の裏面側に、第２電極、第１電極及びパッシベーション層が設けられ、
　第２電極の第２部分は、Ｙ方向に隣り合っている第１電極の第２側面同士を電気的に接続し、このとき、第２部分は、第１電極の第２側面の近傍に位置する第１電極のＸ方向における端部を部分的に覆うように設けられ、
　第１電極を形成するための導電ペーストは、銀および銅のうち少なくとも一方を含有し、
　第１電極は、リード部材が接続され、隣り合う第１電極の間に位置する間隙には、パッシベーション層及びスペーサ部材が設けられ、
　スペーサ部材は、第２電極と同じ材質で、
　パッシベーション層は、窒化シリコン、酸化シリコン、または酸化アルミニウムなどであり、
　パッシベーション層が開口を有しており、開口を介して第２電極と半導体基板とが接している、
太陽電池パネル。」
イ　本件発明１について
（ア）対比
ａ　先願１発明の「複数の太陽電池素子」は、本件発明１の「複数の太陽電池セル」に、
　先願１発明の「『隣り合う太陽電池素子同士』を『電気的に接続』する『リード部材』」は、本件発明１の「太陽電池セル同士を電気的に接続する配線部材」に、
　先願１発明の「太陽電池パネル」は、本件発明１の「太陽電池ユニット」に、
　先願１発明の「半導体基板」は、本件発明１の「基板」に、
　先願１発明の「『太陽電池素子』の『受光面上に』『設けられ』た『受光面側電極』」は、本件発明１の「基板における受光面側に配置された表面電極」に、
　先願１発明の「『太陽電池素子』の『裏面上に』『設けられ』た『裏面側電極』」は、本件発明１の「『基板における前記受光面側とは反対側の裏面側に配置される』『裏面電極』」に、
　先願１発明の「『第１電極は、リード部材が接続され、』『太陽電池素子の裏面側に、』『設けられ』た『第１電極』」は、本件発明１の「『前記裏面側において、』『前記配線部材の搭載領域に配置される』『導電層』」に、
　先願１発明の「『太陽電池素子の裏面側』に『設けられ』た『パッシベーション層』」は、本件発明１の「裏面側に配置された絶縁層」に、
　先願１発明の「『パッシベーション層が開口を有しており、』『隣り合う第１電極の間に位置する間隙には、パッシベーション層及びスペーサ部材が設けられ』」は、本件発明１の「『前記絶縁層には、複数の開口部が形成され、』『前記導電層が、前記開口部内に形成され』」に、
　それぞれ相当する。
ｂ　先願１の図２（甲１、図２）、図３（甲１、図３）、図７（甲１、図８）及び図１１（甲１、図１３）の記載から、第２電極８ａは、太陽電池素子１同士の接続方向に延びる長尺部を有することが、見て取れ、第１電極７は、第２電極８ａ間の領域に配置されると共に、太陽電池素子１同士の接続方向に直交する方向に延びること、が見て取れる。また、先願１の背景技術にも記載されているように、太陽電池素子の基板にシリコンの半導体基板は、通常用いられている。
　そうすると、先願１発明の「第２電極」は、本件発明１の「裏面電極」と、「太陽電池セル同士の接続方向に延びる長尺部を有する」点で一致し、先願１発明の「第１電極」は、本件発明１の「導電層」と、「太陽電池セル同士の接続方向に直交する方向に延びる」点で一致する。
　また、先願１発明の「『パッシベーション層が開口を有しており、』『隣り合う第１電極の間に位置する間隙には、パッシベーション層及びスペーサ部材が設けられ』」は、本件発明１の「開口部が、前記太陽電池セル同士の接続方向に直交する方向に沿って形成され、前記導電層が、前記開口部内に形成され」に、先願１発明の「パッシベーション層が開口を有しており、開口を介して第２電極と半導体基板とが接している」は、本件発明１の「『裏面電極』の『長尺部が、前記開口部内に至るまで延びることにより前記基板のシリコン部に接しており』」に、それぞれ相当する。
ｃ　先願１発明では「『第１電極は、リード部材が接続され、隣り合う第１電極の間に位置する間隙には、パッシベーション層』『が設けられ、』」と特定されていることから、半導体基板とリード部材の間には、第１電極とパッシベーション層を有している。
　また、先願１発明では「『太陽電池素子の裏面側に、第２電極、第１電極及びパッシベーション層が設けられ、』『第１電極は、リード部材が接続され、隣り合う第１電極の間に位置する間隙には、パッシベーション層』『が設けられ』」と特定されていることから、リード部材が接続されていない状態において、太陽電池素子の裏面側に、第１電極及びパッシベーション層が設けられている。
　そうすると、先願１発明の「『太陽電池素子の裏面側に、第２電極、第１電極、及び、パッシベーション層が設けられ、』『第１電極は、リード部材が接続され、隣り合う第１電極の間に位置する間隙には、パッシベーション層』『が設けられ』」は、本件発明１の「前記太陽電池セルの前記裏面側において、前記配線部材の搭載領域が前記導電層及び前記絶縁層を有している」に相当する。
　
ｄ　以上のことから、本件発明１と先願１発明との一致点及び相違点は、次のとおりである。
【一致点】
「複数の太陽電池セルと、前記太陽電池セル同士を電気的に接続する配線部材と、を備える太陽電池ユニットであって、
　前記太陽電池セルが、
　基板と、
　前記基板における受光面側に配置された表面電極と、
　前記基板における前記受光面側とは反対側の裏面側に配置されると共に、前記太陽電池セル同士の接続方向に延びる長尺部を有する裏面電極と、
　前記裏面側において、前記長尺部間の領域である前記配線部材の搭載領域に配置されると共に、前記太陽電池セル同士の接続方向に直交する方向に延びる導電層と、
　前記裏面側に配置された絶縁層と、を備え、
　前記絶縁層には、複数の開口部が形成され、当該開口部が、前記太陽電池セル同士の接続方向に直交する方向に沿って形成され、前記導電層が、前記開口部内に形成され、前記長尺部が、前記開口部内に至るまで延びることにより前記基板のシリコン部に接しており、
　前記太陽電池セルの前記裏面側において、前記配線部材の搭載領域が前記導電層及び前記絶縁層を有している、太陽電池ユニット。」
【相違点１】
　本件発明１は「前記裏面電極の前記長尺部及び前記導電層が、前記太陽電池セル同士の接続方向に直交する方向に配置されていると共に互いに接続されて」いるのに対し、先願１発明はそのようなものか明らかではない点。
【相違点２】
　本件発明１は「前記導電層及び前記絶縁層と前記配線部材とが接着部材により接合されている」のに対し、先願１発明はそのようなものか明らかではない点。
（イ）判断
　先願１発明の「『第２電極の』『第２部分は、第１電極の第２側面の近傍に位置する第１電極のＸ方向における端部を部分的に覆うように設けられ』」ているものの、先願１発明において、「第２電極」の長尺部分及び「第１電極」が配置されている方向と「第２電極」の長尺部分及び「第１電極」が接続される方向は異なるので、先願１発明において、「第２電極」の長尺部分及び「第１電極」が「太陽電池素子」同士の接続方向に直交する方向に配置されていると共に互いに接続されてはいない。
　また、先願１発明の「パッシベーション層」と「リード部材」とが接着部材により接合していない。
　そして、本件発明１と先願１発明との相違点１、２が、課題解決のための具体的手段による微差（周知技術、慣用技術の付加、削除、転換等であって、新たな効果を奏するもの）でもない。
　したがって、本件発明１は、先願１発明と同一又は実質的に同一ではない。
ウ　本件発明２、４、６、７について
　本件発明２、４、６、７は、本件発明１の「前記裏面電極の前記長尺部及び前記導電層が、前記太陽電池セル同士の接続方向に直交する方向に配置されていると共に互いに接続されており」、「前記導電層及び前記絶縁層と前記配線部材とが接着部材により接合されている」と同一の構成を備えるものであるから、本件発明１と同じ理由により、先願１発明と同一又は実質的に同一ではない。
第６　むすび 
　以上のとおり、本件請求項１〜４、６〜１０に係る特許は、取消理由通知書に記載した取消理由及び特許異議申立書に記載した特許異議申立理由によっては取り消すことはできない。また、他に本件請求項１〜４、６〜１０に係る特許を取り消すべき理由を発見しない。 
　本件請求項５に係る特許は、訂正により削除されたため、特許法第１２０条の８第１項で準用する同法第１３５条の規定により、この特許についての特許異議の申立ては却下すべきものである。
　よって、結論のとおり決定する。
【異議決定日】
令和２年９月１６日（２０２０．９．１６）
【訂正の要旨】
審決（決定）の【理由】欄参照。
（５７）【特許請求の範囲】
　【請求項１】
　複数の太陽電池セルと、前記太陽電池セル同士を電気的に接続する配線部材と、を備える太陽電池ユニットであって、
　前記太陽電池セルが、
　
基板と、
　
前記基板における受光面側に配置された表面電極と、
　
前記基板における前記
側
側
ると共に、前記太陽電池セル同士の接続方向に延びる長尺部を有する
と
　
前記裏面側において、前記長尺部間の領域である前記配線部材の搭載領域に配置されると共に、前記太陽電池セル同士の接続方向に直交する方向に延びる
と
　
前記裏面側に配置された
と、
　
前記絶縁層には、複数の開口部が形成され、当該開口部が、前記太陽電池セル同士の接続方向に直交する方向に沿って形成され、前記導電層が、前記開口部内に形成され、前記長尺部が、前記開口部内に至るまで延びることにより前記基板のシリコン部に接しており、
　前記裏面電極
の前記長尺部
配置されていると共に
接続され
　前記太陽電池セルの前記裏面側において、前記配線部材の搭載領域が前記導電層及び前記絶縁層を有して
おり、
　
前記導電層及び前記絶縁層と前記配線部材とが接着部材により接合されて
　【請求項２】
　前記導電層がＡｌ、Ａｌ−Ｓｉ合金、Ｃｕ、Ｓｎ又はＡｇを含む、請求項１に記載の太陽電池ユニット。
　【請求項３】
　前記裏面電極が前記導電層と同一の材料で構成されている、請求項１又は２に記載の太陽電池ユニット。
　【請求項４】
　前記絶縁層が窒化シリコン、酸化シリコン又は酸化アルミニウムを含む、請求項１〜３のいずれか一項に記載の太陽電池ユニット。
　【請求項５】
（削除）
　【請求項６】
　前記裏面電極の少なくとも一部が前記配線部材の搭載領域にまたがって配置されている、請求項１〜
４
　【請求項７】
　前記導電層の少なくとも一部が前記裏面電極と重なって配置されている、請求項１〜
４、
　【請求項８】
　前記受光面
側
前記
の前記基板
　前記配線部材の搭載領域における前記表面電極に相対する位置に前記導電層が配置されている、請求項１〜
４、６〜
　【請求項９】
　請求項１〜
４、６〜
　前記太陽電池セルの前記配線部材の搭載領域上に接着部材及び前記配線部材をこの順に配置する配置工程と、
　前記配置工程の後、加圧して前記太陽電池セルと前記配線部材とを接続する接続工程と、を含む、太陽電池ユニットの製造方法。
　【請求項１０】
　前記配置工程において前記接着部材がフィルム状である、請求項９に記載の太陽電池ユニットの製造方法。